(57)【要約】      （修正有）【課題】カード型媒体脱着時に当該カード型媒体が落下することを防止できる電子機器を提供する。【解決手段】メモリカード３０を脱着自在とするスリット１３ｂに対応する位置に、蓋部材２１が取り付けられ、蓋部材２１は、略帯板状に形成された帯板部２１ａと、帯板部２１ａの他端部２１ｃに形成された前面の軸受け部に回転自在に嵌合している回転軸２１ｂ１と、帯板部２１ａの裏面２１ｄの幅方向の端部に沿って立設している壁部２１ｅと、を備え、蓋部材２１がスリット１３ｂを開放してメモリカード３０がメモリカードスロットから脱着される方向と平行となる第２の位置に位置付けられている際は、壁部２１ｅおよび帯板部２１ａがスリット１３ｂへ挿入されるメモリカード３０のガイドとして機能する。【選択図】図６
2013092910.tif 000002
【特許請求の範囲】
【請求項１】
カード型媒体が脱着可能なカード型媒体装着手段を備えたケースと、前記ケースの側面に前記カード型媒体が前記カード型媒体装着手段から脱着される際に該カード型媒体を出し入れ自在とする挿入口が設けられている電子機器において、
前記挿入口の下端側に回転軸が設けられ、前記回転軸を中心として前記挿入口を覆う第１の位置と、前記挿入口を開放して前記カード型媒体装着手段から前記カード型媒体が脱着される方向と平行となる第２の位置と、の間で回動可能な蓋部材を備え、
前記蓋部材は、前記第１の位置に位置付けられた際に前記挿入口と対向する側の面に、前記カード型媒体を前記挿入口へガイドするガイド手段が設けられている
ことを特徴とする電子機器。
【請求項２】
前記ガイド手段は、
前記第１の位置に位置付けられた際に前記蓋部材の前記挿入口と対向する側の面となる第１ガイド部と、
前記第１ガイド部の、前記カード型媒体が前記カード型媒体装着手段から脱着される方向と直交する方向の両端部のうち、少なくとも一方の端部から立設した第２ガイド部と、
から構成されていることを特徴とする請求項１に記載の電子機器。
【請求項３】
前記蓋部材を前記第１の位置に固定する固定手段を備えていることを特徴とする請求項１または２に記載の電子機器。
【請求項４】
前記第２ガイド部が、前記回転軸に近づくにしたがって高さが高くなるように形成されていることを特徴とする請求項２または３に記載の電子機器。
【発明の詳細な説明】
【技術分野】
【０００１】
本発明は、メモリカードなどのカード型媒体を機器に出し入れ自在となる挿入口が設けられている電子機器に関する。
【背景技術】
【０００２】
例えば、ＳＤメモリカード、Ｂ−ＣＡＳ（BS-Conditional Access Systems）カード、ＳＩＭ（Subscriber Identity Module）カードなどのカード型媒体が装着されて動作する電子機器が多くなっている。
【０００３】
図１にカーナビゲーション装置の例を示す。図１は、カーナビゲーション装置１０１の側面図である。カーナビゲーション装置１０１は、本体部１０５と、グリル１０３と、駆動機構１０４と、を備えている。
【０００４】
本体部１０５は、略箱状のケースにハードディスクやＤＶＤプレーヤや各種基板および後述するカード型媒体１３０が装着されるカードスロット等が収容され、グリル１０３との相対面である前面１１０ａにカード型媒体１３０を出し入れ自在とする不図示の挿入口が設けられている。グリル１０３は、使用者と相対する側に表示面１１４が設けられている。駆動機構１０４は、図示しないモータの駆動力によりアーム１１５がスライドすることによってグリル１０３の下端部が前面１１０ａに対して突没するとともに、グリル１０３の上端部が前面１１０ａに沿ってスライドして、前面１１０ａの全体を覆う位置（図１（ａ））から前面１１０ａに対して傾斜してカード型媒体１３０を脱着自在とする位置（図１（ｂ））までグリル１０３を移動させる。
【０００５】
図１のような構成のカーナビゲーション装置１０１などの電子機器において、カード型媒体１３０装着後の落下防止策としては、例えば特許文献１のようにカード挿入口にカードカバー（蓋）を設けることが考えられる。
【０００６】
また、カード型媒体１３０を取り外す際における落下防止策としては、例えば、特許文献２のように摩擦抵抗を与えながら通過を許容する防塵部材を設けることでカード型媒体１３０を取り外す際の落下を防止することが提案されている。
【先行技術文献】
【特許文献】
【０００７】
【特許文献１】実公平７−１６９６４号公報
【特許文献２】特開２００２−１５０２２５号公報
【発明の概要】
【発明が解決しようとする課題】
【０００８】
カード型媒体１３０は、上述したように図１（ｂ）に示したカード型媒体１３０を出し入れ自在とする位置にグリル１０３が位置付けられている場合に装着が可能となるが、この際に、図１（ｃ）に示したように誤ってカード型媒体１３０を落としてしまう場合がある。この場合、カード型媒体１３０は、床等に落下したり、本体部１０５とグリル１０３の間に挟まってしまったりすることがある。特に、カード型媒体１３０のサイズが小さい場合は本体部１０５とグリル１０３の間に挟まってしまうと取り出すのが困難になるという問題があった。
【０００９】
特許文献１に記載のカード装着部構造は、カード型媒体が正しく装着されない場合などにカード型媒体が落下しないようにする、あるいは装着後に振動などによって落下しないようにするためにカードカバーを設けたものであり、カード型媒体脱着時に当該カードカバーは、カード型媒体の落下防止に何ら寄与しない。
【００１０】
また、特許文献２に記載のメモリカード装置は、カード型媒体を取り外す際における落下防止策であり、カード型媒体装着時は何ら考慮されていない。
【００１１】
そこで、本発明は、例えば、カード型媒体脱着時に当該カード型媒体が落下することを防止できる電子機器を提供することを課題とする。
【課題を解決するための手段】
【００１２】
上記課題を解決するために、請求項１に記載の電子機器は、カード型媒体が脱着可能なカード型媒体装着手段を備えたケースと、前記ケースの側面にカード型媒体が前記カード型媒体装着手段から脱着される際に該カード型媒体を出し入れ自在とする挿入口が設けられている電子機器において、前記挿入口の下端側に回転軸が設けられ、前記回転軸を中心として前記挿入口を覆う第１の位置と、前記挿入口を開放して前記カード型媒体装着手段から前記カード型媒体が脱着される方向と平行となる第２の位置と、の間で回動可能な蓋部材を備え、前記蓋部材は、前記第１の位置に位置付けられた際に前記挿入口と対向する側の面に、前記カード型媒体を前記挿入口へガイドするガイド手段が設けられていることを特徴としている。
【図面の簡単な説明】
【００１３】
【図１】従来技術にかかるナビゲーション装置の構成を説明した側面図である。
【図２】本発明の一実施例にかかるナビゲーション装置の外観斜視図である。
【図３】図２に示されたカーナビゲーション装置のグリルが第１の位置に位置付けられた状態を示す断面図である。
【図４】図２に示されたカーナビゲーション装置のグリルが第２の位置に位置付けられた状態を示す断面図である。
【図５】図２および図３に示された蓋部材部分の拡大図である。
【図６】図５の斜視図である。
【図７】本発明の他の実施例にかかる蓋部材を示した斜視図である。
【図８】本発明の他の実施例にかかる蓋部材を示した斜視図である。
【図９】本発明の他の実施例にかかる蓋部材を示した断面図である。
【発明を実施するための形態】
【００１４】
以下、本発明の一実施形態にかかる電子機器を説明する。本発明の一実施形態にかかる電子機器は、挿入口の下端側に設けられた回転軸を中心として挿入口を覆う第１の位置と、挿入口を開放して前記カード型媒体装着手段から前記カード型媒体が脱着される方向と平行となる第２の位置と、の間で回動可能な蓋部材を備えて、その蓋部材の第１の位置に位置付けられた際に挿入口と対向する側の面に、カード型媒体を挿入口へガイドするガイド手段が設けられているので、蓋部材を第２の位置に位置付けた際に、ガイド手段に沿ってカード型媒体を挿入することによりカード型媒体脱着時の落下を防止することができる。また、蓋部材が第１の位置に位置付けられている際は、挿入口への塵埃の進入を少なくすることができる。
【００１５】
また、ガイド手段は、第１の位置に位置付けられた際に蓋部材の挿入口と対向する側の面となる第１ガイド部と、第１ガイド部の、カード型媒体がカード型媒体装着手段から脱着される方向と直交する方向の両端部のうち、少なくとも一方の端部から立設した第２ガイド部と、から構成されていてもよい。このようにすることにより、蓋部材を第２の位置に位置付けて第１および第２のガイド部に沿ってカード型媒体を挿入することによりカード型媒体脱着時の落下を防止することができる。
【００１６】
また、蓋部材を第２の位置に固定する固定手段を備えていてもよい。このようにすることにより、挿入口からカード型媒体を脱着する時以外は第１の位置に固定されるので、蓋部材を収納することができるとともに、挿入口の蓋部材で覆われる部分からの塵埃の進入を防止することができる。
【００１７】
また、第２ガイド部が、回転軸に近づくにしたがって高さが高くなるように形成されていてもよい。このようにすることにより、第２ガイド部の高さが高い部分でカード型媒体を安定して挿入することができる。また、第２ガイド部の高さを全て高くするよりも、蓋部材が第１の位置に位置付けられた際に第２ガイド部が挿入口に進入する面積を小さくすることができ挿入口内の端子等の配置の制限が少なくなる。
【実施例】
【００１８】
本発明の一実施例にかかる電子機器としてのナビゲーション装置１を図２乃至図６を参照して説明する。ナビゲーション装置１は、移動体としての自動車のインストルメントパネルに装着される。ナビゲーション装置１は、図１に示すように、機器本体２と、操作表示ユニットとなるグリル３と、グリル３を後述の前面１０ａ即ち機器本体２に対し移動させる駆動機構４（図３および図４に示す）などを備えている。
【００１９】
機器本体２は、箱状に形成されたケース５と、このケース５内に収容される図示しないシャーシと、前記ケース５内に収容されるＤＶＤプレーヤ７やカード型媒体装着手段としてのメモリカードスロット８および図示しないハードディスクなどを備えている。ケース５は、インパネに取り付けられると露出する側面である前面１０ａと、この前面１０ａの全ての辺に立設するように一体成形された複数の立設壁１０ｃと、これら複数の立設壁１０ｃの縁に連なった図示しない背面壁とを備えている。また、ケース５のうち少なくとも前面１０ａは樹脂等の弾性を持たすことが可能な材質で形成されている。なお、本実施形態ではカード型媒体としてメモリカード３０で説明するが、それに限らず、ＳＩＭカードやＢ−ＣＡＳカードなど各種カード型の記録媒体であればよい。
【００２０】
シャーシは、板金などからなり、平板状の底シャーシと、この底シャーシの幅方向の両縁から立設した側シャーシと、を備えている。底シャーシは、機器本体２のケース５の図２中の底に位置する一つの立設壁１０ｃ上に重ねられている。
【００２１】
ケース５内には、ＤＶＤプレーヤ７やメモリカードスロット８および図示しないハードディスク等が収容され、例えば、グリル３に設けられた後述する押しボタン１８等を使用者が押圧することによって動作する。
【００２２】
また、前面１０ａには、図３および図４に示すように、ＤＶＤを挿入するための挿入口としてのスリット１３ａと、メモリカード３０を挿入するための挿入口としてのスリット１３ｂが設けられている。スリット１３ａは、機器本体２にＤＶＤなどのＤＶＤプレーヤ７で再生可能な円盤状の記録媒体を出し入れ自在とし、スリット１３ｂはメモリカードスロット８で読み書き可能なメモリカード３０などのカード型媒体を出し入れ自在とし、メモリカードスロット８にメモリカード３０が脱着自在となる。なお、前面１０ａは、ケース５の底面に対して垂直になっているが、例えば、前面１０ａの上方に向かうにしたがって  ケース５の奥行き方向（図３や図４の左側）に向かって傾斜している傾斜面としてもよい。
【００２３】
また、前面１０ａのスリット１３ｂに対応する位置には、蓋部材２１が取り付けられている。図３および図４のスリット１３ｂ部分の拡大図を図５に示す。また、図５の斜視図を図６に示す。
【００２４】
蓋部材２１は、例えば樹脂等で形成され、図５や図６に示したように、略帯板状に形成された帯板部２１ａと、帯板部２１ａの一端部２１ｂに形成されたロック突起２１ｂ１と、帯板部２１ａの他端部２１ｃに形成されるとともに、スリット１３ｂの下端側のケース５内に形成された図示しない軸受け部に回転自在に嵌合している回転軸２１ｃ１と、帯板部２１ａのスリット１３ｂと相対する側の面である裏面２１ｄの長手方向と直交する方向（帯板部２１ａの幅方向）の一方の端部から立設している壁部２１ｅと、を備えている。
【００２５】
蓋部材２１は、図３乃至図６に示したように、回転軸２１ｃ１を中心としてスリット１３ｂを覆う第１の位置と、スリット１３ｂを開放してメモリカードスロット８からメモリカード３０が脱着される方向と平行となる第２の位置と、の間で回動可能となっている。ここで、第２の位置のメモリカード３０が脱着される方向と平行とは、メモリカード３０の脱着操作に支障が無い範囲（数度程度）の角度のずれも含むものとする。
【００２６】
帯板部２１ａは、長手方向がスリット１３ｂを完全に覆うことができる長さに形成されている。ロック突起２１ｂ１は、帯板部２１ａの一端部２１ｂから、帯板部２１ａの長手方向に突出するように形成されている。回転軸２１ｃ１は、帯板部２１ａの他端部２１ｃから帯板部２１ａの幅方向に突出するように形成されている。壁部２１ｅは、帯板部２１ａ裏面２１ｄの幅方向の一方の端部から突出するように形成され、蓋部材２１が第１の位置に位置付けられた際に、スリット１３ｂ内に進入する。即ち、この壁部２１ｅは、図６（ｂ）に示したように、蓋部材２１が第２の位置に位置付けられたる際に、メモリカード３０がメモリカードスロット８から脱着される方向と直交する方向の一方の端部から立設している。
【００２７】
また、蓋部材２１が第１の位置に位置付けられている際は、蓋部材２１は、前面１０ａに形成されたロック突起１０ｂと、自身のロック突起２１ｂ１とが係合することで、当該位置に固定される。このロック突起１０ｂは、スリット１３ｂの上端から下方に向かって突出するように形成されており、ロック部材１０ｂは、その突起部分が弾性変形するとともに、蓋部材２１も弾性変形することによって蓋部材２１のロック突起２１ｂ１がケース５の内側（図５（ａ）の状態）に通されて係合する。即ち、ロック突起１０ｂとロック突起２１ｂ１とが、蓋部材２１を第１の位置に固定する固定手段をなしている。
【００２８】
そして、蓋部材２１は、前記した第１の位置から手前側（使用者側）に向かって前記した第２の位置まで回動する。蓋部材２１が第２の位置に位置付けられている際は、壁部２１ｅおよび帯板部２１ａ（裏面２１ｄ）がスリット１３ｂへ挿入されるメモリカード３０のガイドとして機能し、落下させること無くメモリカード３０をスリット１３ｂへ導く。即ち、裏面２１ｄが第１ガイド部、壁部２１ｅが第２ガイド部をなしている。つまり、これら２つのガイド部は、第１の位置に位置付けられた際にスリット１３ｂと対向する側の面に設けられているガイド手段を構成している。メモリカード３０を挿入または排出した後に、蓋部材２１は、第２の位置から第１の位置まで回動してロック突起１０ｂとロック突起２１ｂ１で固定される。
【００２９】
また、スリット１３ｂ内側のケース５内にはスイッチ２２が設けられている。スイッチ２２は、蓋部材２１が第１の位置に位置付けられている際にガイド部２１ｅに押されることでＯＮになり、蓋部材２１が当該位置にあること、つまり、スリット１３ｂが塞がれていることを検知している。このスイッチ２２は、例えば、メモリカード３０が挿入されている状態で、ＯＮの場合にメモリカード３０の読み書きを行うことで、誤って読み書き中にメモリカード３０が取り出させることを防止したり、メモリカード３０が挿入されている状態で、ＯＦＦの場合に自動的にメモリカード３０を排出したりする動作を行わせることができる。
【００３０】
グリル３は、液晶ディスプレイ（ＬＣＤ：Liquid Crystal Display）などからなる画像情報等を表示する表示パネル１４と、複数の押しボタン１８とを備えている。グリル３は、表示パネル１４に、ハードディスク等から読み出された地図情報等を表示する。
【００３１】
押しボタン１８は、グリル３の情報を表示する表示パネル１４と同一平面上の外表面に複数設けられている。押しボタン１８は、使用者により押圧されることにより操作される。これらの押しボタン１８が操作されることにより、ケース５の内部に収容されたＤＶＤ、ハードディスクやメモリカード３０の読み出し動作等、ナビゲーション装置の各種機能が動作する。
【００３２】
グリル３は、上端部３ａが前面１０ａに沿ってスライド自在にケース５即ち機器本体２に取り付けられ、下端部３ｂが前面１０ａから突没自在に設けられている。また、押しボタン１８が操作されることにより、図３に示すグリル３がスリット１３ａ、１３ｂを覆い隠す閉じた位置と、図４に示すグリル３がスリット１３ａ、１３ｂを開放する開いた位置とに亘って移動される。このとき、グリル３の下端部３ｂが、前記前面１０ａから突没するとともに、グリル３の上端部３ａが前面１０ａに沿ってスライドする。
【００３３】
閉じた位置では、グリル３は、図２及び図３に示すように、前面１０ａの全体を覆っている。閉じた位置では、グリル３の情報を表示する表示パネル１４が前面１０ａと平行に配置されている。
【００３４】
開いた位置では、グリル３は、図４に示すように、前述した前面１０ａのスリット１３ａ、１３ｂを含む上側を開放している。開いた位置では、グリル３の情報を表示する表示パネル１４が前面１０ａに対して傾いている。即ちグリル３が前面１０ａに対して傾いている。
【００３５】
例えば、押しボタン１８のうちのＯＰＥＮボタンが押圧操作されると、閉じた位置にあるグリル３が駆動機構４によりスライド移動される。そして、ＯＰＥＮボタンが押圧操作されることにより、グリル３が機器本体２のケース５の前面１０ａに形成されたスリット１３（蓋部材２１）が開放される開いた位置までスライド移動される。そして、蓋部材２１をスリット１３ｂを覆う第１の位置からスリット１３ｂを開放してメモリカードスロット８からメモリカード３０が脱着される方向と平行となる第２の位置へ回動させることでメモリカード３０がスリット１３から出し入れ可能、つまり、メモリカードスロット８から脱着可能となり、蓋部材２１を前記した第１の位置へ戻した後にＯＰＥＮボタンが再度押圧操作されると、グリル３は、駆動機構４により前述した閉じた位置まで移動される。
【００３６】
なお、グリル３のスライド移動は、図示せぬマイコン等が駆動機構４の図示しないモータの回転方向や回転数を制御することにより行われる。つまり、マイコンが使用者による押しボタン１８の操作を認識して、その操作等に応じたスライド位置となるようにモータの回転方向やその回転数を制御して、グリル３をスライド移動させる。
【００３７】
駆動機構４は、図２ないし図４に示すように、可動アーム１５と、駆動源としての図示しないモータと、案内部１６と、を備えている。可動アーム１５は、一方向に沿って直線状に延びた帯状に形成されている。可動アーム１５は、その長手方向が前述した前面１０ａに対し直交（交差）する状態でシャーシに支持されている。可動アーム１５は、その長手方向に沿ってスライド自在に、シャーシに支持されている。このため、可動アーム１５は、前面１０ａに対し直交（交差）する方向に沿ってスライド自在に設けられている。可動アーム１５は、スライドすることで、特にグリル３寄りの一端部１５ａが前面１０ａから突没する。
【００３８】
可動アーム１５は、シャーシの両側のケース５の内面上に設けられている。また、各可動アーム１５の一端部１５ａには、孔が形成されている。孔には、グリル３の下端部３ｂの両側面に設けられたピンが回転自在に嵌合している。このため、可動アーム１５は、グリル３の下端部３ｂを回転自在に支持しており、グリル３とともに移動する。
【００３９】
前記モータは、各可動アーム１５を長手方向に沿ってシャーシに対しスライド移動させる。つまり、モータの駆動力によって、各可動アーム１５は前面１０ａの下方に形成された図示せぬ貫通孔を通してシャーシの内外方向に移動される。
【００４０】
案内部１６は、ローラ１９と、ガイド溝２０とを備えている。ローラ１９は、円筒状に形成されかつグリル３の上端部３ａの両側面に回転自在に支持されている。ローラ１９は、ガイド溝２０に係合して、軸芯周りに回転することでガイド溝２０に沿って移動自在に設けられている。
【００４１】
ガイド溝２０は、閉じた位置に位置付けられたグリル３の両側に位置する立設壁１０ｃのグリル３寄りの内面に設けられている。即ち、ガイド溝２０は、機器本体２に設けられている。ガイド溝２０は、鉛直方向に延在しており、立設壁１０ｃの内面から凹に形成されている。
【００４２】
前述した構成の駆動機構４は、モータからの駆動力を受けて、各可動アーム１５がシャーシの内外方向に移動する。また、各可動アーム１５がシャーシの内外方向に移動することで、グリル３の下端部３ｂが前面１０ａから突没し、該グリル３の上端部３ａに設けられたローラ１９がガイド溝２０に沿って摺動する即ち上端部３ａが前面１０ａに沿って移動する。
【００４３】
すなわち、モータからの駆動力を受けて各可動アーム１５が機器本体２のシャーシの外方向に移動することにより、グリル３は、その外表面が上方に向くようにして倒されて開いた位置に移動する。また、可動アーム１５が機器本体２のシャーシの内方向に移動することにより、倒された状態にあるグリル３は前面１０ａを覆う閉じた位置に移動され、ローラ１９はガイド溝２０の上端に位置付けられる。
【００４４】
前述したグリル３及び可動アーム１５は、モータからの駆動力により機器本体２に対し閉じた位置と開いた位置とに亘って順に移動される。
【００４５】
本実施形態によれば、メモリカード３０を出し入れ自在とするスリット１３ｂに対応する位置に、蓋部材２１が取り付けられ、蓋部材２１は、略帯板状に形成された帯板部２１ａと、帯板部２１ａの他端部２１ｃに形成された前面１０ａの図示しない軸受け部に回転自在に嵌合している回転軸２１ｂ１と、帯板部２１ａの裏面２１ｄの幅方向の端部に沿って立設している壁部２１ｅと、を備え、蓋部材２１が第２の位置に位置付けられている際は、壁部２１ｅおよび帯板部２１ａの裏面２１ｄがスリット１３ｂへ脱着されるメモリカード３０の下側と横側を支えるガイドとして機能するので、メモリカード３０脱着時の落下を防止することができる。
【００４６】
また、蓋部材２１が第１の位置に位置付けられている際は、スリット１３ｂを完全に塞ぐため、スリット１３への塵埃の進入を防止することができる。
【００４７】
また、蓋部材２１は、帯板部２１ａの一端部２１ｂにロック突起２１ｂ１が形成されているので、ケース５（前面１０ａ）側に形成されたロック突起１０ｂと係合することで、蓋部材を第１の位置に固定することができる。
【００４８】
なお、上述した実施例では、壁部２１ｅが全て同じ高さで形成されていたが、図７に示したように帯板部２１ａの他端部２１ｃに向かうにしたがって高くなるように形成しても良い。このようにすることにより、第２ガイド部である壁部２１ｅの高さが高い部分でメモリカード３０を安定して挿入することができる。また、壁部２１ｅの高さを全て高くするよりも、蓋部材２１が第１の位置付けられた際に壁部２１ｅがスリット１３ｂに進入する面積を小さくすることができメモリカードスロット８内の端子等の配置の制限が少なくなる。
【００４９】
また、上述した実施例では、挿入口としてのスリット１３ｂは縦置き（メモリカード３０を縦にして脱着する）で説明したが、図８に示すように横置き（メモリカード３０を横にして脱着する）でも同様に本発明を適用できる。
【００５０】
また、壁部２１ｅは、帯板部２１ａの帯板部２１ａの幅方向の端部の一方に形成されていたが、図９に示すように両方に形成してもよい。図９は、蓋部材２１の断面図である。
【００５１】
また、上述した実施例では蓋部材２１は、スリット１３ｂを完全に覆う長さとしていたが、メモリカード３０挿入時のガイドとして機能することができれば、完全に覆う長さよりも短くしてもよい。その場合は塵埃の防止機能が低下するが、少なくともメモリカード３０脱着時の落下防止の機能は果たすことができる。また、壁部２１ｅは、帯板部２１ａの長手方向の長さと同じ長さに形成されていたが、他端部２１ｃ１から帯板部２１ａの中間位置までなど、帯板部２１ａの長さよりも短くてもよい。壁部２１ｅを帯板部２１ａの長さよりも短くすることで、図７の例と同様に壁部２１ｅがスリット１３ｂに進入する面積を小さくすることができる。
【００５２】
また、蓋部材２１を固定する固定手段も、帯板部２１ａの一端部２１ｂを固定するに限らず、例えば、側面（幅方向の端部）を固定するようにしてもよいし、蓋部材２１を第１の位置に固定できれば他の方法でもよい。
【００５３】
また、上述した実施例では、スリット１３ｂ（前面１０ａ）とメモリカード３０の脱着方向が略直角であったが、それに限らない。例えば、前面１０ａが傾斜面の場合は、スリット１３ｂとメモリカード３０の脱着方向が略直角とならない場合もある。その場合でも、蓋部材２１が、第２の位置、つまりスリット１３ｂを開放してメモリカードスロット８からメモリカード３０が脱着される方向と平行となる位置まで回動するように構成することで脱着時の落下を防止することができる。
【００５４】
また、上述した実施例では、グリル３が、下端部３ｂが前面１０ａから突没するとともに、上端部３ａが前面１０ａに沿ってスライドすることで開閉する構成であったが、それに限らず、蓋部材２１と同様に、下端部３ｂに回転軸を設け、その回転軸を中心として回動することで開閉する構成でも良いし、グリル３を備えずに蓋部材２１が常時露出している構成でもよい。
【００５５】
前述した実施例によれば、以下のナビゲーション装置１が得られる。
【００５６】
（付記）メモリカード３０が脱着可能なメモリカードスロット８を備えたケース５と、ケース５の前面１０ａにメモリカード３０がメモリカードスロット８から脱着される際に該メモリカード３０を出し入れ自在とするスリット１３ｂが設けられているナビゲーション装置１において、
スリット１３ｂの下端側に回転軸２１ｃ１が設けられ、回転軸２１ｃ１を中心としてスリット１３ｂを覆う第１の位置と、スリット１３ｂを開放してメモリカードスロット８からメモリカード３０が脱着される方向と平行となる第２の位置と、の間で回動可能な蓋部材２１を備え、
蓋部材２１は、第１の位置に位置付けられた際に裏面２１ｄに、メモリカード３０をスリット１３ｂへガイドする裏面２１ｄおよび壁部２１ｅが設けられている
ことを特徴とするナビゲーション装置１。
【００５７】
これらのナビゲーション装置１によれば、蓋部材２１を第２の位置にして裏面２１ｄおよび壁部２１ｅに沿ってメモリカード３０を挿入することによりメモリカード３０脱着時の落下を防止することができる。また、蓋部材２１が第１の位置に位置付けられている際は、スリット１３ｂへの塵埃の進入を少なくすることができる。
【００５８】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００５９】
１        ナビゲーション装置（電子機器）
５        ケース
８        メモリカードスロット（カード型媒体装着手段）
１０ａ    前面（側面）
１０ｂ    ロック突起（固定手段）
１３ｂ    スリット（挿入口）
２１      蓋部材
２１ｂ１  ロック突起（固定手段）
２１ｃ１  回転軸
２１ｄ    裏面（ガイド手段、第１ガイド部）
２１ｅ    壁部（ガイド手段、第２ガイド部）
３０      メモリカード（カード型媒体）
【図１】
2013092910.tif 000003
【図２】
2013092910.tif 000004
【図３】
2013092910.tif 000005
【図４】
2013092910.tif 000006
【図５】
2013092910.tif 000007
【図６】
2013092910.tif 000008
【図７】
2013092910.tif 000009
【図８】
2013092910.tif 000010
【図９】
2013092910.tif 000011